(57)【特許請求の範囲】
【請求項１】
サイズの異なる紙葉類を処理する紙葉類処理装置であって、
紙葉類のサイズ別データを予め記憶する第１の記憶手段と、
紙葉類サイズ別の紙葉類収納用カートリッジに対するガイド位置決めデータを予め記憶する第２の記憶手段と、
入力指定される金種データに対応する紙葉類のサイズ別データを前記第１の記憶手段から読み出す読出手段と、
前記第１の記憶手段から読み出された前記サイズ別データと、前記第２の記憶手段に記憶された前記紙葉類サイズ別の紙葉類収納用カートリッジに対するガイド位置決めデータと比較する比較手段と、
前記比較手段の比較結果に基づいて、前記処理される紙葉類のサイズ別データに合う前記紙葉類収納カートリッジのガイド情報を案内する出力手段とを備えた
紙葉類処理装置。
【請求項２】
前記出力手段は、ガイド情報を表示する表示手段であることを特徴とする
請求項１記載の紙葉類処理装置。
【請求項３】
前記表示手段は、ガイド情報に基づいて調整された調整適否の判定情報を表示案内する
請求項２記載の紙葉類処理装置。
【請求項４】
前記表示手段は、ガイド情報として予め設定された対応紙葉類別の位置合せ情報を表示案内する
請求項２または３記載の紙葉類処理装置。
【請求項５】
入金口に入金された紙幣を識別部で識別し、その識別された紙幣を一時保留部で保留した後、収納部に収納処理する紙幣処理装置であって、
前記入金利用される紙幣の全金種別のサイズ別データを予め記憶する記憶手段と、
入力指定される金種データに対応する紙幣のサイズ別データを前記識別部から読取る読取手段と、
前記読取手段が紙幣のサイズ別データを読取ったとき、前記記憶手段が記憶しているサイズ別データと比較する比較手段と、
前記比較手段の比較結果に基づいて受付けた紙幣のサイズ別データに見合う対応金種別の受入れガイド情報を表示する表示手段と、
前記表示手段に表示された受入れガイド情報に基づいて調整した調整値を入力させる入力手段と、
前記入力手段により入力した調整値の適否を判定する判定手段とを備えた
紙幣処理装置。
【発明の詳細な説明】
【０００１】
【発明の属する技術分野】
この発明は、例えば国内紙幣や外国紙幣等のサイズの異なる各種の紙幣を取扱う紙葉類処理装置に関し、さらに詳しくは国別に取扱われる特定サイズの紙幣に応じた大きさの収納部に容易に調整可能な共通利用性能の高い紙葉類処理装置及び紙幣処理装置に関する。
【０００２】
【従来の技術】
以下、紙幣処理装置を例にとって説明すると、この紙幣処理装置は内部に紙幣の多数枚を収納許容するカートリッジを装填しており、このカートリッジの内部は、図１０に示すように、取扱い許容する紙幣１０１のサイズに応じた収納間隔に収納ガイド板１０２を配置している。そして、ここに紙幣１０１が導かれると、紙幣１０１は収納ガイド板１０２間に搬入ガイドされながら１枚ずつ整列集積される。
【０００３】
この場合、カートリッジの収納ガイド板１０２間は、予め紙幣処理装置の製造工程や紙幣処理装置の利用設置される場所において、製造者や係員が取扱われる紙幣の金種サイズ別にカートリッジの収納ガイド板間を調整している。
【０００４】
【発明が解決しようとする課題】
しかし、この予め調整されたカートリッジの収納ガイド板間の初期調整情報や変更した後の収納ガイド板間の変更調整情報が係員に的確に得られないため確認に時間がかかり、またカートリッジの収納ガイド板間を変更する必要がある場合は、国別に応じて扱われる紙幣のサイズを記載した調整指示書を必要とし、この調整指示書を見て係員が収納ガイド板間を調整するため手間がかかり、また信頼性に乏しいため誤調整されても間違ったまま利用されてしまうことがある。
【０００５】
例えば、図１１に示すように、カートリッジの収納ガイド板１１１間の内部寸法１１１ａに比べて収納される紙幣１１２のサイズ１１２ａが小さい場合は、この小さいサイズの紙幣１１２…が集積されるにしたがって、弯曲状態に偏った集積不良が発生する。また、逆に、収納ガイド板間よりも紙幣サイズが大きい場合も、同様に紙幣は収納ガイド板間でＵ字形に弯曲した集積不良が発生する。したがって、このような誤調整がなされた場合は集積不良が発生したことに基づいて気付いたり、係員が間違いに気付くまで誤調整を発見できなかった。
【０００６】
また、調整済のカートリッジを誤って対象国以外の別の国の紙幣処理装置にセットしてしまうと、その後、対象外の金種紙幣が利用されて集積不良が発生するまで誤装填を発見できず、この場合は利用先でのトラブルの発生原因を誘起したり、信頼性を損なう問題を有していた。
【０００７】
そこでこの発明は、紙葉類のサイズ別データに合うガイド情報を装置本体に持たせることに着目し、このガイド情報を出力案内して係員に知らせることにより、誤調整や受入れ異常が直ちに分る受入れ管理性能の高い紙葉類処理装置及び紙幣処理装置の提供を目的とする。
【０００８】
【課題を解決するための手段】
請求項１記載の発明は、サイズの異なる紙葉類を処理する紙葉類処理装置であって、紙葉類のサイズ別データを予め記憶する第１の記憶手段と、紙葉類サイズ別の紙葉類収納用カートリッジに対するガイド位置決めデータを予め記憶する第２の記憶手段と、入力指定される金種データに対応する紙葉類のサイズ別データを前記第１の記憶手段から読み出す読出手段と、前記第１の記憶手段から読み出された前記サイズ別データと、前記第２の記憶手段に記憶された前記紙葉類サイズ別の紙葉類収納用カートリッジに対するガイド位置決めデータと比較する比較手段と、前記比較手段の比較結果に基づいて、前記処理される紙葉類のサイズ別データに合う前記紙葉類収納カートリッジのガイド情報を案内する出力手段とを備えたことを特徴とする。
【０００９】
請求項２記載の発明は、前記出力手段の一例にガイド情報を表示する表示手段を用いたことを特徴とする。
【００１０】
請求項３記載の発明は、前記表示手段により、ガイド情報に基づいて調整された調整適否の判定情報を表示案内することを特徴とする。
【００１１】
請求項４記載の発明は、前記表示手段により、ガイド情報として予め設定された対応紙葉類別の位置合せ情報を表示案内することを特徴とする。
【００１２】
請求項５記載の発明は、入金口に入金された紙幣を識別部で識別し、その識別された紙幣を一時保留部で保留した後、収納部に収納処理する紙幣処理装置であって、前記入金利用される紙幣の全金種別のサイズ別データを予め記憶する記憶手段と、入力指定される金種データに対応する紙幣のサイズ別データを前記識別部から読取る読取手段と、前記読取手段が紙幣のサイズ別データを読取ったとき、前記記憶手段が記憶しているサイズ別データと比較する比較手段と、前記比較手段の比較結果に基づいて受付けた紙幣のサイズ別データに見合う対応金種別の受入れガイド情報を表示する表示手段と、前記表示手段に表示された受入れガイド情報に基づいて調整した調整値を入力させる入力手段と、前記入力手段により入力した調整値の適否を判定する判定手段とを備えたことを特徴とする。
【００１３】
【発明の作用及び効果】
この発明によれば、紙葉類処理装置に内蔵される収納部の収納サイズを調整する際、この調整に先立って係員は扱われる紙葉類のサイズが予め分かっているため、そのサイズに応じたデータを指定すると、その指定された紙葉類のサイズ別データを第１の記憶手段から読出手段が読出し、この読み出したデータと第２の記憶手段が記憶しているガイド位置決めデータとを比較手段が比較し、この比較結果に基づいて処理した紙葉類のサイズ別データに見合う受入れガイド情報を出力手段より出力案内する。
【００１４】
この結果、初期調整される収納部の初期ガイド調整情報、その後に収納サイズを変更して調整した変更ガイド調整情報等の様々なガイド情報を係員に出力案内して知らせることができるため、誤調整やガイド異常を直ちに発見することができる。
【００１５】
また、出力手段の一例にガイド情報を表示する表示手段を採用した場合は、この表示手段のガイド情報を係員が一目見るだけで必要な情報を入手できる。
【００１６】
ことに、ガイド情報に基づいて調整された調整適否の判定情報を表示案内する表示手段を備えた場合は、調整した後の調整適否を即座に確認できるため、調整に手間がかからず、また誤調整を直ちに発見できる。
【００１７】
さらに、ガイド情報として予め設定された対応紙葉類別の位置合せ情報を表示案内する表示手段を備えた場合は、この位置合せ情報にしたがって調整すればよく、熟練者でなくても短時間に能率よく調整することができる。
【００１８】
例えば、入金口に入金された紙幣を識別部で識別し、その識別された紙幣を一時保留部で保留した後、収納部に収納処理する紙幣処理装置に適用した場合は、係員は扱われる金種が予め分かっているため、その金種データを入力指定すると、その入力された紙幣のサイズ別データを読取手段が読取り、この読取ったデータと記憶手段が記憶しているサイズ別データとを比較手段が比較し、この比較結果に基づいて受付けた紙幣のサイズ別データに見合う対応金種別の受入れガイド情報を表示手段により表示し、この表示手段に表示された受入れガイド情報に基づいて調整した調整値を入力手段により入力し、この入力した調整値の適否を判定手段により判定する。
【００１９】
このように構成した場合は、収納部の調整値を表示手段から容易に得られるため、係員は調整指示書等の説明欄を詳しく見る必要がなく、必要な調整すべき受入れガイド情報を一目見るだけで正確に調整できる。また、誤調整等の異常発生時にもその旨を表示案内して係員に知らせるため、間違ったまま利用されなくなり、紙幣の集積不良を未然に回避する受入れ管理性能の高い運用が図れる。
【００２０】
【実施例】
この発明の一実施例を以下図面に基づいて詳述する。
図面は紙幣処理装置を示し、図１に示すように、この紙幣処理装置１１は上部一側に開口して紙幣を出入れする入出金口１２と連通する内方に紙幣の真偽判別及び金種判別を行なう識別部１３を設け、この識別部１３に導いて適正と判定した紙幣を一時保留する一時保留部１４を識別部１３の後段奥部に配設し、これに対し、識別不良と判定した紙幣を返却保留する返却保留部１５を識別部１３の後段上部に配設している。また、一時保留部１４の前段には集積ホイール１６を配設しており、ここに導かれた紙幣を１枚ずつ集積して保留させる。
【００２１】
さらに、一時保留部１４からは一時保留した紙幣を１枚ずつ繰出して下部の金種別の第１〜第４カートリッジＣ1 〜Ｃ4 及びリジェクトカートリッジＣ5 に収納許容して搬送接続し、返却保留部１５からは元の入出金口１２に返却可能に搬送接続している。
【００２２】
これらの各要素１２〜１６，Ｃ1 〜Ｃ5 間を搬送ラインＬでループ状に接続して、入金処理、出金処理及び精査処理等の処理項目に応じた搬送処理を行う。
【００２３】
また、外部上面には係員用の表示器１７及び入力キー（表示器１７のタッチパネル兼用の入力キーも含む）１８を配設して処理項目の入力案内、操作手順、受入れガイド情報等の各種案内情報を表示し、また入力許容している。
【００２４】
図２は一時保留部１４から各カートリッジＣ1 〜Ｃ5 への収納経路を示し、入金確定された紙幣を一時保留部１４から１枚ずつ繰出し、再び識別部１３を通して金種判定し、その金種に対応する第１〜第４カートリッジＣ1 〜Ｃ4 に分配収納する。また、損傷紙幣等の流通に不適な紙幣はリジェクトカートリッジＣ5 に収納する。
【００２５】
図３は金種別の第１〜第４カートリッジＣ1 〜Ｃ4 に内蔵される受入れガイド機構３１を示し、この受入れガイド機構３１は底板３２とその両側に起立して一体に取付けられる起立ガイド板３３，３４とから紙幣を受入れ収納する凹部３５を形成し、この凹部３５の底板３２上に紙幣を積重ねて集積し、その集積された紙幣の横長状態の両縁部を両側の起立ガイド板３３，３４で集積ガイドして整列集積させる。
【００２６】
この場合、紙幣は金種に応じて紙幣長さが異なるため、一方の起立ガイド板（図中左側）３３を紙幣長さに応じて取付け位置を変更許容する収納サイズ調整用の調整起立ガイド板３３に設け、他方の起立ガイド板（図中右側）３４を基準位置決め用の基準起立ガイド板３４に設定している。
【００２７】
一方の調整起立ガイド板３３は紙幣の端縁をガイドするための平板状を有し、下端の細長い底面中央部には底板連結用の螺合孔３６を開口し、ここに底板３２に貫通する長孔３７を介して挿通させた取付けボルト３８を螺着して調整起立ガイド板３３を底板３２上に直立させて一体に固定する。
【００２８】
また、調整起立ガイド板３３の底面両側の位置には位置決め対応用の半球形突起３９を突設し、これらと対向する底板３２の上面位置には位置決め対応用の半球形凹部４０を切欠き形成して、底板３２上の定位置で半球形突起３９と半球形凹部４０が係合対応して調整起立ガイド板３３を位置決めするように設けている。
【００２９】
底板３２側に形成される半球形凹部４０は、図４に示すように、収納調整方向となる底板は３２の長手方向に沿って２個一組とする複数個（図においては上下に４個ずつの４段階の調整ガイド位置を設定している）を配設し、この配設数は利用国によって扱われる金種サイズ別に応じた数を予め設定して形成している。そして、金種別のカートリッジＣ1 〜Ｃ4 毎に受入れ決定された金種長さに応じて調整起立ガイド板３３の取付け位置が決定される。
【００３０】
また、異金種の収納用に切換えるために調整起立ガイド板３３の取付け位置の変更を要する場合は、調整方向に沿って長く開口された長穴３７を通して取付けられている取付けボルト３８の螺着位置を変更すべき位置に変えて再螺着すれば、凹部３５の変更操作が完了する。
【００３１】
他方の基準起立ガイド板３４は同じく平板状を有し、紙幣整列集積時の基準位置として底板３２上に直立し、この基準起立ガイド板３４の底面が取付けボルト３８で底板に一体に螺着固定されている。
【００３２】
また、受入れガイド機構３１は金種別の第１〜第４カートリッジＣ1 〜Ｃ4 に適用するだけでなく、入出金口１２や一時保留部１４にも適用することができる。
【００３３】
図５は紙幣処理装置１１の制御回路ブロック図を示し、ＣＰＵ５１はＲＯＭ５２に格納されたプログラムに沿って各回路装置を制御し、その制御データをＲＡＭ５３で読出し可能に記憶する。
また、ＣＰＵ５１からの搬送制御信号に基づいて搬送モータＭを駆動または停止制御して、搬送ラインＬ上に１枚ずつ挟持搬送される紙幣を処理すべき方向に搬送・停止させる。
【００３４】
そして、紙幣処理装置１１の製造工程や紙幣処理装置１１が利用設置される場所において、この紙幣処理装置１１が利用される利用国の使用金種に合わせて識別する専用の識別機能を持たせた識別部１３を内蔵させる。また、この識別部１３には予め扱う金種サイズ別のデータを記憶している。
【００３５】
また、ＲＡＭ５３には利用対象金種に応じた調整起立ガイド板３３の調整ガイド位置を定めた各位置決めデータを金種サイズ別に記憶させている。
【００３６】
このため、ＣＰＵ５１は調整起立ガイド板３３の調整時に、係員が扱われる金種が予め分かっているため、係員が入力キー１８を操作して金種データを指定すると、これに連動してＣＰＵ５１は識別部１３から転送された利用対象紙幣のデータと、ＲＡＭ５３で記憶した金種サイズ別の位置決めデータとを比較照合して、利用対象紙幣に応じた調整起立ガイド板３３の適正な位置を決定する。
【００３７】
そして、決定された調整起立ガイド板３３の適正なガイド位置をＣＰＵ５１が表示器１７に表示案内し、係員に必要な調整作業情報を知らせる情報提供機能を有している。
【００３８】
このときの受入れガイド情報にしたがって係員は調整起立ガイド板３３をサイズ別に段階的に分けられた取付け位置に変更する調整作業を実行し、実行した後にその調整した調整値を入力させて照合確認する。このとき、ＣＰＵ５１は適正な調整が行われたか否かを判定し、その判定結果を表示器１７に表示して係員に知らせる判定出力機能を有している。このため、誤調整が発生した場合は、直ちに間違いを発見して再調整することができ、万全を期した調整管理ができる。
【００３９】
このように構成された紙幣処理装置１１の受入れガイド機構３１の調整処理動作を図６のフローチャートと、図７〜図９の表示図を参照して説明する。
この紙幣処理装置１１に内蔵される金種別の第１〜第４カートリッジＣ1 〜Ｃ4 の収納サイズを初期調整する場合、紙幣処理装置１１の製造工程や紙幣処理装置１１が利用設置される場所において、係員は扱われる金種が予め分かっているため、その金種データを入力キー１８より入力指定すると、ＣＰＵ５１は識別部１３に記憶されている金種に対応するサイズ別データを読出し（ステップｎ1 ）、
ＣＰＵ５１は識別部１３から読出した利用対象紙幣のサイズ別データと、予めＲＡＭ５３で記憶している金種サイズ別の位置決めデータとを比較照合し、これに応じてＣＰＵ５１は利用対象紙幣に見合う調整起立ガイド板３３の適正な調整ガイド位置を決定する（ステップｎ2 ）。
【００４０】
この決定された調整ガイド位置を表示器１７に表示案内する。例えば、図７に示すように、調整ガイド位置が７段階設けてあり、扱われる紙幣サイズ数が４種類の場合について説明すると、入出金口１２と一時保留部１４とは、扱われる紙幣の中で最大サイズの金種を受付可能な第２の調整ガイド位置に設定し、第１カートリッジＣ1 は扱われる紙幣の中で最小サイズの金種の紙幣を収納する第５の調整ガイド位置に設定し、第２カートリッジＣ2 は３番目に大きいサイズの金種の紙幣を収納する第４の調整ガイド位置に設定し、第３カートリッジＣ3 は２番目に大きいサイズの金種の紙幣を収納する第３の調整ガイド位置に設定し、第４カートリッジＣ4 は扱われる紙幣の中で最大サイズの金種の紙幣を収納する第２の調整ガイド位置に設定する（ステップｎ3 ）。
【００４１】
このように、紙幣処理装置１１の紙幣受入れ各部の最適な紙幣収納サイズを表示器１７に一覧表示するため、係員が一目見るだけで必要な調整情報を入手でき、さらに係員は表示器１７に表示された調整ガイド位置の位置合せ情報にしたがって調整すればよく、熟練者でなくても短時間に能率よく調整することができる。
【００４２】
次に、表示器１７に表示案内された調整ガイド位置の位置合せ情報にしたがって係員が調整作業を行った後の確認動作について説明する。
今、調整起立ガイド板３３の取付け位置を変更する調整作業が終了すると、表示器１７には、図８に示すように、調整した「ガイド位置を入力して下さい」と、入出金口１２、一時保留部１４及び金種別の第１〜第４カートリッジＣ1 〜Ｃ4 のガイド位置を調整した値を入力操作させる画面を表示する（ステップｎ4 ）。
【００４３】
これにしたがって係員が各調整値を入力操作すると、ＣＰＵ５１はこの入力データと、第１ステップにおいて先に識別部１３で読取った識別データとを照合チェックし（ステップｎ5 ）、
ＣＰＵ５１は適正に調整されていれば、その旨を表示器１７に表示案内して調整作業が完了する。これに対し、誤調整等の調整異常がある場合、例えば、図９に示すように、第３カートリッジＣ3 の調整値が誤っていれば、表示器１７に「調整値が間違っています。第３カートリッジの調整値は３です」のように、間違いを指摘すると共に、再調整すべきガイド情報を表示案内して係員に知らせる（ステップｎ6 ）。
【００４４】
このように、調整した後の調整適否を表示器から即座に確認できるため、係員は誤調整や受入れガイド異常を直ちに発見することができ、また誤調整が生じた場合には直ちに再調整することができるなど間違ったまま利用されなくなり、紙幣の集積不良を未然に回避する受入れ管理性能の高い紙幣処理装置の運用が図れる。また、初期調整以外にも、その後に収納サイズを変更して調整した変更調整時も同様に調整後のガイド位置情報を係員に表示案内して知らせることができるため、誤調整を回避して安定した運用が図れる。
【００４５】
この発明と、上述の一実施例の構成との対応において、
この発明の紙葉類処理装置は、実施例の紙幣処理装置１１に対応し、
以下同様に、
紙葉類は、紙幣に対応し、
第１の記憶手段は、識別部１３に対応し、
第２の記憶手段及び記憶手段は、ＲＡＭ５３に対応し、
読出手段、読取手段、比較手段及び判定手段は、ＣＰＵ５１に対応し、
出力手段及び表示手段は、表示器１７に対応し、
入金口は、入出金口１２に対応し、
収納部は、第１〜第４カートリッジＣ1 〜Ｃ4 に対応し、
入力手段は、入力キー１８に対応するも、
この発明は、請求項に示される技術思想に基づいて応用することができ、上述の一実施例の構成のみに限定されるものではない。
【図面の簡単な説明】
【図１】  この発明の紙幣処理装置を示す要部破断斜視図。
【図２】  この発明の紙幣処理装置の収納系路を示す内部構成図。
【図３】  この発明の紙幣処理装置の受入れガイド機構を示す斜視図。
【図４】  この発明の紙幣処理装置の受入れガイド機構を示す要部正面図。
【図５】  この発明の紙幣処理装置の制御回路ブロック図。
【図６】  この発明の受入れガイド機構の調整処理動作及び確認処理動作を示すフローチャート。
【図７】  この発明の受入れガイド機構調整時の表示器の表示説明図。
【図８】  この発明の受入れガイド機構調整後の表示器の入力説明図。
【図９】  この発明の調整値入力後の表示器の誤調整の案内説明図。
【図１０】  従来の収納ガイド板による適正な紙幣集積状態を示す正面図。
【図１１】  従来の収納ガイド板による紙幣の集積不良状態を示す正面図。
【符号の説明】
１１…紙幣処理装置
１２…入出金口
１３…識別部
１４…一時保留部
１７…表示器
１８…入力キー
Ｃ1 〜Ｃ4 …カートリッジ
３１…受入れガイド機構
３２…底  板
３３…調整起立ガイド板
３４…基準起立ガイド板
３５…凹  部
５１…ＣＰＵ
５３…ＲＡＭ
【図１】
0003795273.tif 000002
【図２】
0003795273.tif 000003
【図３】
0003795273.tif 000004
【図４】
0003795273.tif 000005
【図５】
0003795273.tif 000006
【図６】
0003795273.tif 000007
【図７】
0003795273.tif 000008
【図８】
0003795273.tif 000009
【図９】
0003795273.tif 000010
【図１０】
0003795273.tif 000011
【図１１】
0003795273.tif 000012